(57)【要約】      （修正有）【課題】貼着部を台紙の中央部に設けることにより、長方形形状の写真を任意の縦横方向に貼着しうる写真の繰り返しの剥離貼着が可能なアルバムを提供する。【解決手段】表紙１１と、裏表紙１２と、上記表紙と上記裏表紙に接合された背表紙１３と、互いに連綴されて上記表紙と上記裏表紙との間に配置されると共に上記表紙及び上記裏表紙に固定され写真等を貼着可能な複数枚の台紙１４とを備え、上記台紙上に、剥離可能な保護紙で被覆された再貼着可能な貼着部１６を有するアルバムであって、上記貼着部は、上記台紙の中央部に設けられている。【選択図】図２
0003145683.tif 000002
【実用新案登録請求の範囲】
【請求項１】
表紙と、裏表紙と、上記表紙と上記裏表紙に接合された背表紙と、互いに連綴されて上記表紙と上記裏表紙との間に配置されると共に上記表紙及び上記裏表紙に固定され写真等を貼着可能な複数枚の台紙とを備え、
上記台紙上に、剥離可能な保護紙で被覆された再貼着可能な貼着部を有するアルバムであって、
上記貼着部は、上記台紙の中央部に設けられていることを特徴とするアルバム。
【請求項２】
上記貼着部は、正方形状に形成され、
Ｌ判サイズの写真を任意の縦横方向に貼着しうることを特徴とする請求項１記載のアルバム。
【請求項３】
上記貼着部は、Ｌ判サイズの写真の幅寸法と同一の幅寸法からなることを特徴とする請求項１又は２記載のアルバム。
【考案の詳細な説明】
【技術分野】
【０００１】
本考案は、アルバムに係り、特に、写真を任意の縦横方向に貼着しうる再貼着可能なアルバムに関する。
【背景技術】
【０００２】
従来、特許文献１には、再貼着可能な貼着部を有するアルバムであって、容易かつ短時間にアルバム編集ができ、写真の繰り返しの剥離貼着が可能であり、かつ容易にアルバム再編集ができ、さらにページ内で複数の大きさの写真を貼ることができるアルバムに関する技術が提案されている（特許文献１）。
特許文献１に記載されている技術においては、例えば、貼着部がＬ判サイズの写真サイズに合わせた大きさ寸法に形成されている場合、貼着部の設けられた縦横方向に合わせてＬ判サイズの写真を貼り付けなければならないが、被写体が撮影されている方向によっては、写真を縦方向、又は横方向に配置してアルバムに貼着したい場合がある。
しかしながら、このようなアルバムに写真を貼着する場合には、写真に撮影された被写体の方向に応じてアルバム又は写真の方向を変えて貼着しなければならないことから、被写体の方向に応じてアルバムや写真の方向を変えて貼着する場合には、写真をアルバムに貼着することが煩雑となり、また、後にアルバムを鑑賞する場合に、印刷されている被写体の方向が異なる写真が貼着され、アルバムに統一がなく、写真を鑑賞し難いことになる。
このような場合、アルバムの方向を変えずに被写体の撮影方向に対応した任意の縦横方向に写真を貼着できれば、容易にアルバム編集を楽しむことができ、印刷されている被写体が同一方向の写真が貼着された統一のあるアルバムとすることができる。
【０００３】
【特許文献１】実登３１３０７８８号
【考案の開示】
【考案が解決しようとする課題】
【０００４】
本考案は、貼着部を台紙の中央部に設けることにより、長方形形状の写真を任意の縦横方向に貼着しうる写真の繰り返しの剥離貼着が可能なアルバムを提供することにある。
【課題を解決するための手段】
【０００５】
上記課題を解決するために、請求項１記載の考案にあっては、表紙と、裏表紙と、上記表紙と上記裏表紙に接合された背表紙と、互いに連綴されて上記表紙と上記裏表紙との間に配置されると共に上記表紙及び上記裏表紙に固定され写真等を貼着可能な複数枚の台紙とを備え、上記台紙上に、剥離可能な保護紙で被覆された再貼着可能な貼着部を有するアルバムであって、上記貼着部は、上記台紙の中央部に設けられていることを特徴とする。
従って、台紙の中央部に貼着部が設けられているので、貼着部の大きさ寸法に応じて写真を任意の方向に貼着することができる。
【０００６】
請求項２記載の考案にあっては、上記貼着部は、正方形状に形成され、Ｌ判サイズの写真を任意の縦横方向に貼着しうることを特徴とする。  
従って、上記正方形状の貼着部によりＬ判サイズの写真を任意の縦横方向に貼着することができる。
【０００７】
請求項３記載の考案にあっては、上記貼着部は、Ｌ判サイズの写真の幅寸法と同一の幅寸法からなることを特徴とする。
従って、上記貼着部はＬ判サイズの写真の幅寸法と同一の幅寸法からなるので、一般に頻繁に使用されるＬ判サイズの写真を任意の縦横方向に貼着したい場合に、写真が縦横どちらの方向に配置された場合であっても、Ｌ判サイズの写真の幅寸法の領域が貼着部を被覆可能であると共に貼着した写真から貼着部がはみ出さないように貼着でき、貼着部はＬ判サイズの写真を貼着する場合に十分な貼着力を有する貼着面積を有している。
【考案の効果】
【０００８】
請求項１及び２記載の考案にあっては、台紙の中央部に貼着部が設けられているので、貼着部の大きさ寸法に応じて写真を任意の方向に貼着できることから、写真に印刷されている被写体の方向に対応した方向に写真を配置でき、アルバムや写真の方向を変えて貼着しなくて良く、楽しみながらアルバム編集のできる被写体の方向の統一のとれた写真の繰り返しの剥離貼着が可能なアルバムを提供することができる。
特に、請求項２記載の考案にあっては、上記正方形状の貼着部によりＬ判サイズの写真を任意の縦横方向に貼着することができることから、Ｌ判サイズの写真に印刷されている被写体の方向に対応した方向に写真を配置でき、アルバムや写真の方向を変えて貼着しないで楽しみながらアルバム編集ができる。
【０００９】
請求項３記載の考案にあっては、上記貼着部はＬ判サイズの写真の幅寸法と同一の幅寸法からなるので、一般に頻繁に使用されるＬ判サイズの写真を任意の縦横方向に貼着したい場合に、写真が縦横どちらの方向に配置された場合であっても、Ｌ判サイズの写真の幅寸法の領域が貼着部を被覆可能であると共に貼着した写真から貼着部がはみ出さないように貼着できることから、写真に印刷されている被写体の方向に対応した方向にＬ判サイズの写真を配置でき、アルバムや写真の方向を変えて貼着しなくて良く、楽しみながらアルバム編集のできる撮影された被写体の方向の統一のとれた写真の繰り返しの剥離貼着が可能なアルバムを提供することができる。
また、貼着部はＬ判サイズの写真を貼着する場合に十分な貼着力を有する貼着面積を有していることから、Ｌ判サイズの写真を安定して写真を台紙上に貼着することができる。
【考案を実施するための最良の形態】
【００１０】
以下、図面を用いて本考案の実施の形態について説明する。
図１に示すように、本実施の形態に係るアルバム１０は、表紙１１と、裏表紙１２と、上記表紙１１と上記裏表紙１２に接合された背表紙１３と、互いに連綴されて上記表紙１１と上記裏表紙１２との間に配置されると共に上記表紙１１及び上記裏表紙１２に固定され写真等を貼着可能な複数枚の台紙１４とを備え、上記台紙１４上に、剥離可能な保護紙１５で被覆された再貼着可能な貼着部１６を有するアルバム１０であって、上記貼着部１６は、上記台紙１４の中央部に設けられている。
また、図２に示すように、上記貼着部は、正方形状に形成され、Ｌ判サイズの写真を任意の縦横方向に貼着しうるように構成されている。
また、上記貼着部は、Ｌ判サイズの写真の幅寸法と同一の幅寸法からなるように形成されている。
【実施例】
【００１１】
以下に、図面を用いて本実施例について詳細を説明する。
図１に示すように、本実施例に係るアルバム１０は、略正方形状の表紙１１と、略正方形状の裏表紙１２と、上記表紙１１と上記裏表紙１２に接合された断面コ字状の細幅状に形成された背表紙１３と、互いに連綴されて上記表紙１１と上記裏表紙１２との間に配置されると共に上記表紙１１及び上記裏表紙１２に固定され写真等を貼着可能な６枚の正方形状の台紙１４とにより構成されている。
また、上記表紙１１と上記裏表紙１２と上記背表紙１３は厚紙により形成され、上記背表紙１３の幅方向両端部において長さ方向に沿って上記表紙１１の幅方向の一端部及び上記裏表紙１２の幅方向の一端部が互いに折り曲げ可能に上記背表紙１３の幅方向両端部に接合され、全体が薄厚の紙により被覆されることにより外表面が構成されている。
また、上記台紙１４は、一辺が１４０ｍｍの正方形状の厚紙より形成され、６枚の同一寸法の台紙１４の一方の側端部の全域に亘って夫々が互いに開閉可能に接合されることにより連綴され、上記連綴された６枚の台紙１４が重ねられた状態において上面部及び下面部が夫々上記表紙１１と上記裏表紙１２の内面に固定されることにより、上記連綴された６枚の台紙１４が上記表紙１１と上記裏表紙１２の間に配置されて、見開き型のアルバム１０として構成されている。
また、上記台紙１４上には、中央部に一辺の幅寸法Ｌ１が８８ｍｍの正方形状の再貼着可能な貼着部１６が設けられている。
また、剥離可能な薄紙より形成された保護紙１５が台紙１４上の全域に亘って配置されることにより、上記台紙１４上の貼着部１６が上記保護紙１５に貼着して、上記保護紙１５により上記貼着部１６は被覆されている。
【００１２】
以下、本実施例の作用について説明する。
本実施例に係るアルバム１０を使用するには、図１に示すように、台紙１４上に配置された剥離可能な保護紙１５を貼着部１６から剥離することにより、上記貼着部１６を露出させる。
そして、図２（ａ）に示すような、幅寸法Ｌ２が８９ｍｍ、長さ寸法Ｌ３が１２７ｍｍにより形成されたＬ版サイズの写真Ａ又はＢを、写真Ａ又はＢに印刷された被写体方向に貼着する。
上記写真Ａには、被写体としての人体が写真Ａの長さ方向に沿った縦方向に撮影されて印刷されている。
また、上記写真Ｂには、被写体としての人体が写真Ｂの幅方向に沿った横方向に撮影されて印刷されている。
上記写真Ａ又はＢを上記貼着部１６に貼着する場合、写真Ａ又はＢに印刷された被写体方向に適宜縦横方向を変えて、上記写真Ａ又はＢの中央部を上記貼着部１６の中央部に配置して、上記写真Ａ又はＢの各辺を台紙１４の各辺に平行に配置するように貼着することにより、図２（ｂ）に示すように、上記写真Ａ又はＢを上記貼着部１６に貼着する。
この場合、上記貼着部１６は台紙１６の中央部に設けられると共に一辺の幅寸法Ｌ１が８８ｍｍの正方形状に形成されているので、写真Ａ及びＢを任意の縦横方向に配置した場合であっても写真Ａ及びＢの幅寸法Ｌ２は貼着部１６の一辺の幅寸法Ｌ１の８８ｍｍより多少長い長さ寸法Ｌ２の８９ｍｍに形成されていることから、被写体が縦方向に撮影された写真Ａの方向、又は被写体が横方向に撮影された写真Ｂの方向に適宜配置して上記貼着部１６上に配置できるので、台紙１４上に容易に体裁良く貼着することができる。
従って、写真Ａ，Ｂが縦横どちらの方向に配置された場合であっても、Ｌ判サイズの写真Ａ，Ｂの幅寸法Ｌ２の領域が上記貼着部１６を被覆可能であると共に貼着した写真Ａ，Ｂから貼着部１６がはみ出さないように写真Ａ，Ｂを任意の縦横方向に貼着できることから、写真に印刷されている被写体の方向に対応した方向にＬ判サイズの写真Ａ，Ｂを配置でき、従来のようにアルバム１０や写真Ａ，Ｂの方向を変えて貼着しなくて良く、楽しみながらアルバム編集のできる撮影された被写体の方向の統一のとれた写真Ａ，Ｂの繰り返しの剥離貼着が可能なアルバム１０を提供することができる。
そして、貼付した後にアルバム１０を鑑賞する場合に、アルバム１０の方向を変えずに写真Ａ，Ｂを鑑賞できる統一のとれたアルバム１０とすることができる。
また、上記貼着部１６は、一辺の幅寸法Ｌ１が８８ｍｍの正方形状に形成されているので、幅寸法Ｌ２が８９ｍｍ、長さ寸法Ｌ３が１２７ｍｍのＬ判サイズの写真Ａを貼着する場合に、十分な貼着力を有する貼着面積を有しており、安定して写真Ａを台紙１４上に貼着することができる。
【００１３】
また、図３（ａ）及び（ｂ）に示すように、写真Ａ，Ｂに隣接させて写真のタイトルや写真内容や撮影日時等を記載したメモ用紙Ｃをアルバムに貼着したい場合がある。
このような場合に、図３に示すように、貼着するメモ用紙Ｃの長さ寸法を貼着部１６の幅寸法Ｌ１より長く形成すると共に幅寸法を任意の幅寸法に形成して、上記メモ用紙Ｃの幅寸法に合わせて適宜写真Ａ，Ｂを幅方向に若干移動させて配置することにより、上記メモ用紙Ｃを貼着する面積を上記貼着部１６上に確保して、上記メモ用紙Ｃを上記写真Ａ，Ｂに隣接させるように上記貼着部１６に貼着できるので、楽しみながらアルバム編集のできる撮影された被写体の方向の統一のとれたアルバム１０とすることができる。
【００１４】
また、上記貼着部１６は再剥離可能であり、写真を任意に、移動又は貼り替えが可能であることから、アルバム編集を楽しみながら行うことができる。
また、本実施例には記載していないが、貼着部１６は一辺の幅寸法Ｌ１が８８ｍｍの正方形状に形成されていることから、Ｌ判サイズの写真を一辺の長さ寸法が８９ｍｍの正方形状にカットした写真を貼着することもでき、台紙１４は一辺の長さ寸法が１４０ｍｍの正方形状に形成されていることから、１２７ｍｍ×１７８ｍｍの２Ｌ判サイズの写真を一辺の長さ寸法が１２７ｍｍの正方形状にカットした写真を台紙１４上に貼着することもできる。
【産業上の利用可能性】
【００１５】
本考案は、アルバムに係り、特に、貼着部を台紙の中央部に設けることにより、写真を任意の縦横方向に貼着しうる再貼着可能なアルバムに適用することができる。
【図面の簡単な説明】
【００１６】
【図１】本考案に係るアルバムの一実施の形態を示す斜視図である。
【図２】本考案に係るアルバムの一実施の形態を示す斜視図であり、Ｌ判サイズの写真を貼着部に貼着する際の図である。
【図３】本考案に係るアルバムの一実施の形態を示す斜視図であり、Ｌ判サイズの写真及びメモ用紙を貼着部に貼着する際の図である。
【符号の説明】
【００１７】
１０  アルバム
１１  表紙
１２  裏表紙
１３  背表紙
１４  台紙
１５  保護紙
１６  貼着部
Ａ    被写体が縦方向に撮影された写真
Ｂ    被写体が横方向に撮影された写真
Ｃ    メモ用紙
Ｌ１  貼着部の一辺の幅寸法
Ｌ２  Ｌ判サイズ写真の幅寸法
Ｌ３  Ｌ判サイズ写真の長さ寸法
【図１】
0003145683.tif 000003
【図２】
0003145683.tif 000004
【図３】
0003145683.tif 000005